(57)【要約】【課題】電子製品を速やかに接続できると共に、接続線及び電気コネクタをコンセント本体内に収容できるコンセント構造を提供する。【解決手段】コンセント構造は、コンセント本体１と、接続線３と、電気コネクタ４とを備える。また、コンセント本体１は、パネル１１、少なくとも一つのコンセントユニット１２を有すると共に、収容溝１１２が設けられている。接続線３はその一端がコンセント本体１の内側まで挿入される。電気コネクタ４は接続線３の他端に接続される。そして、接続線３及び電気コネクタ４は、収容溝１１２内に収容されるか、または外へ伸び出されることができる。【選択図】図１
2009048999.tif 000002
【特許請求の範囲】
【請求項１】
パネル及び少なくとも一つのコンセントユニットを有し、且つ収容溝が設けられたコンセント本体と、
一端が前記コンセント本体の内側まで挿入される接続線と、
前記接続線の他端に接続される電気コネクタとを備え、
前記接続線及び電気コネクタは、前記収容溝内に収容されるか或いは外へ伸び出されることを特徴とするコンセント構造。
【請求項２】
前記パネルは、係合部を有し、前記係合部は、コンセントユニットの外周縁に係合されることを特徴とする請求項１に記載のコンセント構造。
【請求項３】
前記収容溝は、前記パネル上に設けられ、前記コンセントユニットの一側から所定のピッチをあけた箇所に配置されることを特徴とする請求項１に記載のコンセント構造。
【請求項４】
前記収容溝は、前記パネル上に設けられ、前記コンセントユニットの一側に隣接されることを特徴とする請求項１に記載のコンセント構造。
【請求項５】
前記収容溝は、前記パネル上に設けられ、前記コンセントユニットの底側に配置されることを特徴とする請求項１に記載のコンセント構造。
【請求項６】
前記収容溝は、前記パネルに凹設されることを特徴とする請求項１に記載のコンセント構造。
【請求項７】
前記収容溝は前記パネルに貫設され、前記接続線及び前記電気コネクタが前記収容溝内に可動的に貫設されることを特徴とする請求項１に記載のコンセント構造。
【請求項８】
前記収容溝は、前記コンセントユニットに設けられることを特徴とする請求項１に記載のコンセント構造。
【請求項９】
前記パネルは、受け板を枢接し、前記受け板は水平位置までに回動するか或いは前記パネルの前側に重ね合うことを特徴とする請求項１に記載のコンセント構造。
【請求項１０】
前記パネルの底側に第一枢接部が設けられ、前記受け板の一側に第二枢接部が設けられ、前記第二枢接部と前記第一枢接部とは互いに回動可能に連接されることを特徴とする請求項９に記載のコンセント構造。
【請求項１１】
前記コンセントユニットは、少なくとも一組の差込口を有することを特徴とする請求項１に記載のコンセント構造。
【請求項１２】
前記接続線の一端は、前記収容溝から前記コンセントユニットの内側に挿入されることを特徴とする請求項１に記載のコンセント構造。
【請求項１３】
前記接続線は、螺旋状に巻き取られていることを特徴とする請求項１に記載のコンセント構造。
【請求項１４】
前記電気コネクタは、さらに、アダプタに結合され、前記アダプタは、前記電気コネクタに移動可能に接続されることを特徴とする請求項１に記載のコンセント構造。
【請求項１５】
前記アダプタは、第一挿着素子及び第二挿着素子を有し、前記第二挿着素子が前記電気コネクタに挿着でき、前記アダプタの両側に二つのサイドアームが接続され、前記二つのサイドアームの内縁面に枢接部がそれぞれ形成され、前記第一及び第二の挿着素子は電気的の接続され、前記電気コネクタの両側に摺動溝がそれぞれ設けられ、前記二つの枢接部が前記二つの摺動溝に対応し収容されていることを特徴とする請求項１４に記載のコンセント構造。
【請求項１６】
収容溝が設けられたコンセントユニットを有するコンセント本体と、
一端が前記コンセント本体の内側に挿入される接続線と、
前記接続線の他端に接続される電気コネクタとを備え、
前記接続線及び電気コネクタは、前記収容溝内に選択的に収容されるか或いは外に伸び出されるコンセント構造。
【請求項１７】
前記コンセントユニットは、少なくとも一組の差込口を有することを特徴とする請求項１６に記載のコンセント構造。
【請求項１８】
前記接続線の一端は、前記収容溝から前記コンセントユニットの内側に挿入されることを特徴とする請求項１６に記載のコンセント構造。
【請求項１９】
前記接続線は、螺旋状に巻き取られていることを特徴とする請求項１６に記載のコンセント構造。
【請求項２０】
前記電気コネクタは、さらに、アダプタに結合され、前記アダプタは、前記電気コネクタに移動可能に接続されることを特徴とする請求項１６に記載のコンセント構造。
【請求項２１】
前記アダプタは、第一の挿着素子及び第二の挿着素子を有し、前記第二の挿着素子が前記電気コネクタに挿着でき、前記アダプタの両側に二つのサイドアームが接続され、前記二つのサイドアームの内縁面に枢接部がそれぞれ形成され、前記第一及び第二の挿着素子は電気的の接続され、前記電気コネクタの両側に摺動溝がそれぞれ設けられ、前記二つの枢接部が前記二つの摺動溝に対応し収容されていることを特徴とする請求項２０に記載のコンセント構造。
【請求項２２】
パネル及び少なくとも一つのコンセントユニットを有し、収容溝が設けられたコンセント本体と、
一端が前記コンセント本体の内側に挿入される接続線と、
前記接続線の他端に接続される電気コネクタと、
前記パネルに枢接し、前記コンセントユニットに選択的に差込む充電座とを備え
前記接続線及び電気コネクタは、前記収容溝内に選択的に収容されるか或いは外に伸び出されることを特徴とするコンセント構造。
【請求項２３】
前記充電座の後端に端子が設けられ、前記充電座の前端にコネクタが設けられ、前記充電座が前記コンセントユニットに選択的に差込んで前記充電座の端子を前記コンセントユニットに電気的に接続させることを特徴とする請求項２２に記載のコンセント構造。
【請求項２４】
パネル及び少なくとも一つのコンセントユニットを有し、収容溝が設けられたコンセント本体と、
一端が前記コンセント本体の内側に挿入される接続線と、
前記接続線の他端に接続される電気コネクタと、
前記パネルまたはコンセントユニットの後側に設けられ、前側に開口を有する収容空間と、
前記収容空間内に位置され、前記開口に沿って前後摺動可能な受け板とを備え、
前記接続線及び電気コネクタは、前記収容溝内に選択的に収容されるか或いは外に伸び出されることを特徴とするコンセント構造。
【請求項２５】
パネル及び少なくとも一つのコンセントユニットを有し、収容溝が設けられたコンセント本体と、
一端が前記コンセント本体の内側に挿入される接続線と、
前記接続線の他端に接続される電気コネクタと、
前記コンセント本体に設けられる無線充電エミッタとを備え、
前記接続線及び電気コネクタは、前記収容溝内に選択的に収容されるか或いは外に伸び出され、
前記無線充電エミッタは、無線充電受信機が設けられた電気製品に対して無線充電方式で該電子製品を充電することを特徴とするコンセント構造。
【請求項２６】
パネル及び少なくとも一つのコンセントユニットを有し、収容溝が設けられたコンセント本体と、
一端が前記コンセント本体の内側に挿入される接続線と、
前記接続線の他端に接続される電気コネクタと、
前記パネルに回動可能に連接され、水平位置までに回動し、或いは前記パネルの前側に重ね合う受け板と、
前記受け板に設けられる無線充電エミッタとを備え、
前記接続線及び電気コネクタは、前記収容溝内に選択的に収容されるか或いは外に伸び出され、
前記無線充電エミッタは、無線充電受信機が設けられた電気製品に対して無線充電方式で該電子製品を充電することを特徴とするコンセント構造。
【発明の詳細な説明】
【技術分野】
【０００１】
本発明は、コンセント構造に関し、例えば、ユーザが電子製品を接続し易くなるように、接続線及び電気コネクタを速やかに提供できるコンセント構造に関する。
【背景技術】
【０００２】
多くの電子製品（例えば、携帯電話や、デジカメ、ＰＤＡ及び他の携帯式電子製品）は、蓄電装置であるので、十分に充電されているか、或いは、電気接続状態でないと正常な動作が維持できない。そのため、電子製品は、商用電源を電源として利用している。
【０００３】
現在、室内の商用電力配線は、壁内に埋設され、壁面に配設されたコンセント構造を介して商用電力回路または信号線路に接続および（又は）断路する。
電子製品の電力が無くなり電源を接続することで運行維持及び電力補充する必要がある場合、或いは情報を転送するためネットワーク信号に接続しなければならない際に、ユーザは、電子製品を伝送線路及びプラグを介してコンセント構造に差込み、電子製品を商用電力または信号線路に接続させることで、電力を得るもしくはネットワーク信号に接続する。
【０００４】
また、電子製品の発展に伴い、電気コネクタも発展して、ＵＳＢコネクタのような様々な電気コネクタが出現して市販されている。また、電子製品をパソコンなどの電子装置に接続しなければならない場合、電気コネクタ及び接続線で電子製品と電子装置とを電気的に接続することにより、電子製品と電子装置との間に接続線を介して電力または信号を転送できるようになる。
なお、従来技術によるコンセント構造は、例えば、特許文献１に開示されている。
【０００５】
しかし、従来のコンセント構造は、接続線を備えていないため、ユーザは、電子製品をコンセント構造に接続する際、適当な接続線を時間かけて探さなければならず面倒であった。
また、ユーザは、電子製品の使用後にコンセント構造から接続線を引き抜いた場合、その引き抜いた接続線を適当な位置に適切に収容する必要があった。さらに、前記接続線を引き抜いた場合、極めて失い易く、ユーザにとって不便になる。なお、使用後に接続線を引き抜かないと、コンセント構造の外に露出されている接続線が乱れてしまい（絡まってしまい）邪魔になる。
【０００６】
そのため、本発明者は、上記事情を鑑みて、合理的な設計且つ前記の欠点を有効に改良できた発明を提案した。
【０００７】
【特許文献１】特開平９−５５２５０号公報
【発明の開示】
【発明が解決しようとする課題】
【０００８】
本発明の主な目的は、ユーザが電子製品を接続し易くなるように、接続線及び電気コネクタを速やかに提供でき、接続線及び電気コネクタが使用されていないときに、コンセント本体内に収容でき、邪魔にならないようなコンセント構造を提供することにある。
【課題を解決するための手段】
【０００９】
前記目的を達成するため、本発明によるコンセント構造は、コンセント本体と、接続線と、電気コネクタとを備え、前記コンセント本体は、パネル及び少なくとも一つのコンセントユニットを有し、且つ収容溝が設けられる。また、前記接続線は、その一端が前記コンセント本体の内側まで挿入される。前記電気コネクタは、前記接続線の他端に接続され、且つ前記接続線及び電気コネクタは、前記収容溝内に収容されるか、または外へ伸び出されることができる。
【００１０】
上記のように構成された本発明は、以下の有利な効果を備えている。
本発明のコンセント構造は、コンセント本体に接続線及び電気コネクタが結合されている。すなわち、本発明は、接続線及び電気コネクタをコンセント本体に可動的に設け、接続線及び電気コネクタをコンセント本体の外に自由に引出したり、或いはコンセント本体内に収容したりできるようにしている。
そのため、ユーザは、接続線及び電気コネクタを使用しようとする際、該接続線及び電気コネクタをコンセント本体の外へ引出せば使用可能となり、接続線及び電気コネクタを速やかに提供できる。すなわち、本発明のコンセント構造は、ユーザが接続線及び電気コネクタを時間かけて探す必要がないため、使い勝手がいい。
また、本発明によれば、接続線及び電気コネクタが使用されていないときに、接続線及び電気コネクタを引き抜く必要がなく、該接続線及び電気コネクタをコンセント本体内に収容することができる。これにより、接続線及び電気コネクタを紛失することが無く、次に使用するときにも便利であり、また、混乱や邪魔にならない。そのため、ユーザは、本発明のコンセント構造を便利に使用できる。
【００１１】
本発明の特徴及び技術内容については、以下に示す本発明に関わる詳細な説明及び添付図面を参照することにより、深く且つ具体的な理解を得られる。しかし、それらの添付図面は、参考及び説明のみに使われ、本発明の主張範囲を狭義的に限定するものではないことは言うまでもない。
【発明を実施するための最良の形態】
【００１２】
以下、本発明の実施形態について図面に基づいて説明する。
先ず、本発明の第１実施形態のコンセント構造について、図１〜図３に基づいて説明する。
図１〜図３に示すように、本発明の第１実施形態のコンセント構造は、コンセント本体１と、受け板２と、接続線３と、電気コネクタ４とを備える。
また、前記コンセント本体１は、パネル１１及び少なくとも一つのコンセントユニット１２を有する。また、前記パネル１１は、前後二枚の板を重ね合うことにより形成され、且つ係合部１１１を有する。なお、第１実施形態では、係合部１１１はスルーホールから形成され、コンセントユニット１２の外周縁と係合される。
【００１３】
前記パネル１１には長尺な収容溝１１２が設けられている（開設されている）。この収容溝１１２は、前記パネル１１上に凹設される。
また、前記収容溝１１２は、前記接続線３及び電気コネクタ４を収容できるように大体接続線３及び電気コネクタ４の外形に対応する形状になされている。なお、本実施形態では、前記収容溝１１２が、コンセントユニット１２の一側（図示する例では右側の端部）から適当なピッチを付けた箇所（適当な間隔をあけた箇所）に配置されている例を示している。また、前記収容溝１１２は、直立状に設けられる。
また、パネル１１の底側には、２つの第一の枢接部１１３が設けられている。この第一の枢接部１１３は、受け板２を回動可能に連接するためのくぼみである。
【００１４】
前記コンセントユニット１２は、パネル１１の係合部１１１に係合される。
また、コンセントユニット１２は、少なくとも一組の差込口１２１を有する。
また、前記差込口１２１は、電源やネットワークまたは電話などを抜き差しするためのものである。これらの差込口１２１には、様々なタイプのプラグ受けまたは電気コネクタを適用することができる。
【００１５】
前記受け板２は、パネル１１に対して前側に配置される。受け板２の一側（一端部）には、軸端である二つの第二の枢接部２１が設けられている。
そして、受け板２の一側（一端部）が二つの第二の枢接部２１を介して該パネル１１の底側の二つの第一の枢接部１１３と互いに枢着することで、受け板２は、コンセント本体１に対して回動可能に接続される。
この受け板２は、電子製品６（図３参照）を載置するため、下向きに水平位置までに回動できる。また、受け板２は、上向きに回動しパネル１１の前側と重ね合うこともできる。
【００１６】
前記接続線３は、大体、内部に導体が設けられかつ導体外部に絶縁層が覆った構造であるが特にこれに限定されるものではない。接続線３の構造及びタイプは、上述した例に限られず、様々なケーブルまたは配線などであってもよい。
また、前記接続線３の一端は、収容溝１１２の一端を介してコンセント本体１のパネル１１の内側に伸び込み、パソコンなどの電子装置と電気的に接続させることができる。また、接続線３は、使用されないときには収容溝１１２内に収容され適当に固定させることができる。また、使用しようとする際には接続線３を収容溝１１２の外へ引き出せば良く、使い勝手がいい。
【００１７】
前記電気コネクタ４は、ＵＳＢコネクタや、ＩＥＥＥ１３９４コネクタ、ＨＤＭＩコネクタ、ＡＶ端子もしくはＤＣ端子などの様々な電気コネクタであり、雌タイプまたは雄タイプのいずれであってもよい。
また、前記電気コネクタ４は、接続線３の他端に接続され、その内部に複数の端子（図略）が設けられる。前記複数の端子は導電性材料からなるものである。
そして、前記複数の端子を接続線３の内部の導体に電気的に接続することで、電気コネクタ４を該接続線３に電気的に接続させる。上記仕組みにより本発明の第１実施形態のコンセント構造を形成する。
【００１８】
上記のようなコンセント構造は以下のように使用される。
具体的には、図１、図２及び図３に示すように、本発明の第１実施形態によると、ユーザは電子製品６（例えば、携帯電話）を該電気コネクタ４に電気的に接続しようとする際に、先ず、該受け板２を該パネル１１に対して回動させ開いて該受け板２を水平位置にさせる。
つぎに、前記電気コネクタ４を電子製品６に差込み、かつ電子製品６を受け板２（水平位置にさせた受け板２）の上に置く。
これにより、電子製品６が接続線３及び電気コネクタ４に電気的に接続し並びに、ネットワークと転送する過程において、位置を安定に保持することができる。
【００１９】
このように、本発明の第１実施形態によれば、コンセント構造に接続線３及び電気コネクタ４が結合され、かつ接続線３及び電気コネクタ４をコンセント本体１に可動可能に設置し、接続線３及び電気コネクタ４をコンセント本体１の外へ自由に引出しまたはコンセント本体１内に収容できる。
そのため、ユーザは、接続線３及び電気コネクタ４を使用する必要があるときに、接続線３及び電気コネクタ４をコンセント本体１の収容溝１１２から外へ引出せば使用可能になり、接続線３及び電気コネクタ４を時間かけて探す必要はなく速やかに提供できる。すなわち、第１実施形態のコネクタ構造は、ユーザにとり使用し易い。
また、接続線３及び電気コネクタ４が使用されていないときに、接続線３及び電気コネクタ４をコンセント本体１の収容溝１１２内に収容すればよく、引き抜く必要はない。そのため、第１実施形態によれば、接続線３及び電気コネクタ４が紛失してしまうことが無く、次に使用する時にもより便利となり、混乱や邪魔にならず、ユーザは、コンセント構造を便利に使用できる。
【００２０】
つぎに、本発明の第２実施形態について図４に基づいて説明する。
図４に示すように、本発明の第２実施形態では、前記収容溝１１２がコンセントユニット１２の一側に隣接して（図示する例ではコンセントユニット１２の右側端部に隣接して）配置されている。また、接続線３は、螺旋状に巻き取っており、伸縮性を有する（伸縮性を有するコイルケーブルとして形成されている）。これにより、電気コネクタ４が更に所要の位置に自在に移動できる。
【００２１】
つぎに、本発明の第３実施形態について図５に基づいて説明する。
図５に示すように、本発明の第３実施形態では、収容溝１１２が、コンセントユニット１２の底側（コンセントユニット１２の下面側）に配置されている。また、収容溝１１２は、パネル１１に貫設されパネル１１の内側まで貫通される。
なお、図示する電気コネクタ４は、上述したものと他種のタイプのコネクタを示している。そして、接続線３及び電気コネクタ４を収容溝１１２内に可動的に貫設することで、該接続線３及び該電気コネクタ４がコンセント本体１の外へ自由に引出し或いはコンセント本体１内に収容できる。
【００２２】
また、前記電気コネクタ４は、さらにアダプタ５に結合することができるように構成されている。また、前記アダプタ５は、前端部および後端部に、それぞれ、第一の挿着素子５１及び第二の挿着素子５２を有する。また、前記アダプタ５の両側には二つのサイドアーム５３が接続されている。
また、二つのサイドアーム５３の内縁面には、それぞれ、凸柱状の枢接部５４が形成されている。二つのサイドアーム５３は、回動式または固定式のいずれかであってもいいが、第３実施形態では、二つのサイドアーム５３が固定式である例を示す。すなわち、二つのサイドアーム５３は、アダプタ５の両側に固定的に結合される。
なお、サイドアーム５３が回動式である場合、二つのサイドアーム５３は、回転可能に枢柱などの方式により該アダプタ５の両側にそれぞれ枢接し、二つのサイドアーム５３が回転の機能を有するようになされる。
また、第一及び第二の挿着素子５１、５２同士は、互いに電気的に接続されている。例えば、第一及び第二の挿着素子５１、５２の間に端子（図略）などを設置する技術方式で、第一及び第二の挿着素子５１、５２を電気的に接続する。
【００２３】
また、前記電気コネクタ４の両側には、摺動溝４１をそれぞれ凹設する。前記の二つの摺動溝４１は、適当な長さを水平に伸び出してなることで、該電気コネクタ４が前後移動可能に該アダプタ５に接続される。
具体的には、前記枢接部５４が前記摺動溝４１内に対応的に収容されることにより、該電気コネクタ４がアダプタ５に移動可能に接続されると共に、電気コネクタ４の先端が第二の挿着素子５２内に挿着し電気的に接続される。これにより、アダプタ５が電気コネクタ４を介して接続線３に電気的に接続される。
【００２４】
さらに、前記アダプタ５は、枢接及び摺接の方式で電気コネクタ４に移動可能に接続されている。電気コネクタ４とアダプタ５とは、相対的に回動及び摺動することで、アダプタ５を電気コネクタ４の先端に挿入して接続することができる。また、アダプタ５が使用されないときには、違い方向に回転することで該電気コネクタ４を単独的に使用することができ、アダプタ５を取り外す必要はなく、使用上の便利性を与える。
なお、上記のアダプタ５の構造は、これらに限られず、あらゆる構造及びタイプのアダプタであってもよい。
【００２５】
つぎに、本発明の第４実施形態及び第５実施形態について、図６〜図８に基づいて説明する。
図６〜図８に示すように、本発明の第４及び第５実施形態では、コンセントユニット１２に、上述したものと異なる仕様のタイプのものを用いている。また、第４及び第５実施形態では、上述した第１〜第３実施形態の収容溝１１２の代わりに、コンセントユニット１２に収容溝１２２が開設されている。この収容溝１２２は、コンセントユニット１２上に凹設または貫設され、接続線３及び該電気コネクタ４を選択的に該収容溝１２２内に収容し、或いは該収容溝１２２の外へ伸び出す（引き出す）ことができる。
【００２６】
つぎに、本発明の第６実施形態について図９に基づいて説明する。
図９に示すように、本発明の第６実施形態では、コンセントユニット１２に、ヨッロパ規定の仕様のものを用いる。また、受け板２にはコンセントユニット１２の差込口１２１に対応する開孔２２が開設されている。そして、前記受け板２が該パネル１１に係合される場合、該コンセントユニット１２の差込口１２１が開孔２２から露出するため、コンセントユニット１２の差込口１２１が使用し易くなる。
【００２７】
つぎに、本発明の第７実施形態について図１０及び図１１に基づいて説明する。
図１０及び図１１に示すように、本発明の第７実施形態では、コンセントユニット１２に、ヨッロパ規定の仕様のものを用いる。また、前記パネル１１の一側には充電座７が回動可能に連接され、該充電座７は後端に端子７１が設けられ、且つ前端にコネクタ７２が設けられている。
そして、充電座７を使用しようとするときには、充電座７をパネル１１に対し回動させ、コンセントユニット１２の差込口１２１に選択的に差込むことで、充電座７の端子７１をコンセントユニット１２の差込口１２１内の端子１２３に接触させ電気的に接続される。これで電力が充電座７に転送でき、充電座７により電子製品６への充電機能を提供できる。また、充電座７が使用されないときには、コンセントユニット１２の差込口１２１から離され、該コンセントユニット１２の差込口１２１の使用の邪魔にならないようにすることができる。
【００２８】
つぎに、本発明の第８実施形態について図１２に基づいて説明する。
図１２に示すように、本発明の第８実施形態では、さらに、パネル１１またはコンセントユニット１２の後側に設けられた収容空間８を有する。この収容空間８の前側には、開口８１を有し、受け板２が収容空間８の開口８１内に配置され、当該開口８１に沿って引出しのように前後に摺動することができる。
第８実施形態では、ユーザは先ず受け板２を開口８１から収容空間８の外へ引出し、電気コネクタ４を電子製品６に差込み、そして電子製品６を受け板２上に置く。これにより、電子製品６が該接続線３及び該電気コネクタ４に電気的に接続し並びにネットワークと転送する過程において、位置を安定に保持できることができる。
【００２９】
つぎに、本発明の第９実施形態について図１３に基づいて説明する。
図１３に示すように、本発明の第９実施形態では、受け板２及びコンセント本体１上に無線充電エミッタ２３が設けられている。
この無線充電エミッタ２３は、コンセントの回路ユニットに電気的に接続される。電子製品６に無線充電受信機６１が設けられている場合、無線充電エミッタ２３と無線充電受信機６１との間において、無線通信の転送協定によりエネルギーの転送が行われる。これにより、無線充電方式により受け板２上に置いた電子製品６を充電することができる。
【００３０】
以上、本発明の実施形態を説明したが、前記の説明は、単に本発明の好ましい具体的な実施形態の詳細な説明及び図面に過ぎず、本発明の特許請求の範囲を限定するものではない。本発明は、特許請求の範囲に基づき、当該分野における技術者が本発明の分野の中で、適当に変更や修飾などを実施できるが、それらの実施のことが本発明の主張範囲内に納入されるべきことは言うまでもないことである。
【図面の簡単な説明】
【００３１】
【図１】本発明の第１実施形態のコンセント構造の斜視図である。
【図２】本発明の第１実施形態のコンセント構造の断面図である。
【図３】本発明の第１実施形態のコンセント構造を使用した状態を示した斜視図である。
【図４】本発明の第２実施形態のコンセント構造の斜視図である。
【図５】本発明の第３実施形態のコンセント構造の斜視図である。
【図６】本発明の第４実施形態のコンセント構造の斜視図である。
【図７】本発明の第４実施形態のコンセント構造を構成するコンセントユニットの斜視図である。
【図８】本発明の第５実施形態のコセント構造のコンセントユニットの斜視図である。
【図９】本発明の第６実施形態のコンセント構造の斜視図である。
【図１０】本発明の第７実施形態のコンセント構造の断面図である。
【図１１】本発明の第７実施形態のコンセント構造を使用した状態を示した斜視図である。
【図１２】本発明の第８実施形態のコンセント構造を使用した状態を示した斜視図である。
【図１３】本発明の第８実施形態のコンセント構造の断面図である。
【符号の説明】
【００３２】
１…コンセント本体
２…受け板
３…接続線
４…電気コネクタ
１１…パネル
１２…コンセントユニット
１１１…係合部
１１２…収容溝
１１３…第一枢接部
１２１…差込口
１２２…収容溝
１２３…端子
２１…第二枢接部
２２…開孔
２３…無線充電エミッタ
４１…摺動溝
５…アダプタ
５１…第一の挿着素子
５２…第二の挿着素子
５３…サイドアーム
５４…枢接部
６…電子製品
６１…無線充電受信機
７…充電座
７１…端子
７２…コネクタ
８…収容空間
８１…開口
【図１】
2009048999.tif 000003
【図２】
2009048999.tif 000004
【図３】
2009048999.tif 000005
【図４】
2009048999.tif 000006
【図５】
2009048999.tif 000007
【図６】
2009048999.tif 000008
【図７】
2009048999.tif 000009
【図８】
2009048999.tif 000010
【図９】
2009048999.tif 000011
【図１０】
2009048999.tif 000012
【図１１】
2009048999.tif 000013
【図１２】
2009048999.tif 000014
【図１３】
2009048999.tif 000015